【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
無線通信を伝送するためのシステムであって、
ベースバンドユニットと、
少なくとも第１の信号源および第２の信号源を含む複数の信号源と、
少なくとも第１の遠隔ユニットおよび第２の遠隔ユニットを含む複数の遠隔ユニットを備え、
前記ベースバンドユニットは、前記ベースバンドユニットを前記複数の信号源に通信可能に結合するための複数のインターフェースを備え、
前記ベースバンドユニットは、前記第１の信号源および前記第２の信号源から複数の無線リソースを受信するように構成され、
前記ベースバンドユニットは、第１の時点で、第１セットの無線リソースのデジタル表現を前記第１の遠隔ユニットに送るように構成され、前記第１セットの無線リソースは前記第１の遠隔ユニットのアンテナで送信するための前記第１セットの無線リソースであり、
前記ベースバンドユニットは、第２の時点で、第２セットの無線リソースのデジタル表現を前記第１の遠隔ユニットに送るように構成され、前記第２セットの無線リソースは前記第１の遠隔ユニットのアンテナで送信するための前記第２セットの無線リソースであり、
前記第１のセットにおける無線リソースの数は、前記第２のセットにおける無線リソースの数とは異なり、
前記ベースバンドユニットは、前記複数の遠隔ユニットのそれぞれからデジタル信号を受信するように構成される、
無線通信を伝送するためのシステム。
【請求項２】
前記ベースバンドユニットは、無線リソースの各デジタル表現をパケット化するように構成される、請求項１に記載のシステム。
【請求項３】
前記ベースバンドユニットは、コモンパブリックインターフェース（ＣＰＲＩ）標準に従って無線リソースの各デジタル表現をパケット化するように構成される、請求項１に記載のシステム。
【請求項４】
前記第１セットの無線リソースのデジタル表現は前記第１の遠隔ユニットを識別する目的地情報を含み、前記第２セットの無線リソースのデジタル表現は前記第１の遠隔ユニットを識別する目的地情報を含む、請求項１に記載のシステム。
【請求項５】
前記第１セットの無線リソースは、前記複数の無線リソースのサブセットであり、前記第１の信号源からの少なくともいくつかの無線リソースと前記第２の信号源からの少なくともいくつかの無線リソースとを含む、請求項１に記載のシステム。
【請求項６】
前記ベースバンドユニットおよび、前記複数の信号源のうちの少なくとも１つは、ベースバンドコントローラの一部である、請求項１に記載のシステム。
【請求項７】
前記ベースバンドユニットは、前記ベースバンドユニットを１つまたは複数の追加のベースバンドユニットに通信可能に結合するための少なくとも１つのインターフェースをさらに備える、請求項１に記載のシステム。
【請求項８】
前記１つまたは複数の追加のベースバンドユニットは、複数の追加のベースバンドユニットを含み、前記ベースバンドユニットは直接接続により前記複数の追加のベースバンドユニットのうちの少なくとも第１のものと接続され、前記ベースバンドユニットは間接接続により前記複数の追加のベースバンドユニットのうちの少なくとも第２のものと接続される、請求項７に記載のシステム。
【請求項９】
無線通信の伝送に使用するためのベースバンドコントローラであって、
ベースバンドユニットを、少なくとも第１の信号源および第２の信号源を含む複数の信号源に、通信可能に結合するための複数のインターフェースと、
前記ベースバンドユニットを、少なくとも第１の遠隔ユニットを含む複数の遠隔ユニットに、通信可能に結合するための少なくとも１つのインターフェースを備え、
前記ベースバンドユニットは、前記第１の信号源および前記第２の信号源から複数の無線リソースを受信するように構成され、
前記ベースバンドユニットは、第１の時点で、第１セットの無線リソースのデジタル表現を前記第１の遠隔ユニットに送るように構成され、前記第１セットの無線リソースは前記第１の遠隔ユニットのアンテナで送信するための前記第１セットの無線リソースであり、
前記ベースバンドユニットは、第２の時点で、第２セットの無線リソースのデジタル表現を前記第１の遠隔ユニットに送るように構成され、前記第２セットの無線リソースは前記第１の遠隔ユニットのアンテナで送信するための前記第２セットの無線リソースであり、
前記第１のセットにおける無線リソースの数は、前記第２のセットにおける無線リソースの数とは異なる、
無線通信の伝送に使用するためのベースバンドコントローラ。
【請求項１０】
前記ベースバンドユニットは、無線リソースの各デジタル表現をパケット化するように構成される、請求項９に記載のベースバンドコントローラ。
【請求項１１】
前記第１セットの無線リソースのデジタル表現は前記第１の遠隔ユニットを識別する目的地情報を含み、前記第２セットの無線リソースのデジタル表現は前記第１の遠隔ユニットを識別する目的地情報を含む、請求項９に記載のベースバンドコントローラ。
【請求項１２】
前記第１セットの無線リソースは、前記複数の無線リソースのサブセットであり、前記第１の信号源からの少なくともいくつかの無線リソースと前記第２の信号源からの少なくともいくつかの無線リソースとを含む、請求項９に記載のベースバンドコントローラ。
【請求項１３】
前記ベースバンドユニットは、前記ベースバンドユニットを１つまたは複数の追加のベースバンドユニットに通信可能に結合するための少なくとも１つのインターフェースをさらに備える、請求項９に記載のベースバンドコントローラ。
【請求項１４】
前記複数の無線リソースは、前記第１の信号源からの第１の複合信号と前記第２の信号源からの第２の複合信号とを含み、
前記ベースバンドユニットは、前記第１の複合信号の第１のサブセットと前記第２の複合信号の第２のサブセットとから前記第１セットの無線リソースのデジタル表現を形成するように構成される、請求項９に記載のベースバンドコントローラ。
【請求項１５】
分散アンテナシステム（ＤＡＳ）におけるデジタル信号を提供するための方法であって、
ベースバンドユニットで、少なくとも第１の信号源および第２の信号源を含む複数の信号源から、複数の無線リソースを受信するステップと、
前記ベースバンドユニットから、第１の時点で、第１セットの無線リソースのデジタル表現を第１の遠隔ユニットに送信するステップであって、前記第１セットの無線リソースは前記第１の遠隔ユニットのアンテナで送信するための前記第１セットの無線リソースである、ステップと、
前記ベースバンドユニットから、第２の時点で、第２セットの無線リソースのデジタル表現を前記第１の遠隔ユニットに送信するステップであって、前記第２セットの無線リソースは前記第１の遠隔ユニットのアンテナで送信するための前記第２セットの無線リソースである、ステップと
を含み、
前記第１のセットにおける無線リソースの数は、前記第２のセットにおける無線リソースの数とは異なる、
分散アンテナシステム（ＤＡＳ）におけるデジタル信号を提供するための方法。
【請求項１６】
前記第１セットの無線リソースのデジタル表現は前記第１の遠隔ユニットを識別する目的地情報を含み、前記第２セットの無線リソースのデジタル表現は前記第１の遠隔ユニットを識別する目的地情報を含む、請求項１５に記載の方法。
【請求項１７】
前記第１セットの無線リソースは、前記複数の無線リソースのサブセットであり、前記第１の信号源からの少なくともいくつかの無線リソースと前記第２の信号源からの少なくともいくつかの無線リソースとを含む、請求項１５に記載の方法。
【請求項１８】
前記ベースバンドユニットで、少なくとも１つの追加のベースバンドユニットから、第２の複数の無線リソースを受信するステップをさらに含む、請求項１５に記載の方法。
【請求項１９】
前記複数の無線リソースは、前記第１の信号源からの第１の複合信号と前記第２の信号源からの第２の複合信号とを含み、
前記ベースバンドユニットで、前記第１の複合信号の第１のサブセットと前記第２の複合信号の第２のサブセットとから前記第１セットの無線リソースのデジタル表現を形成するステップをさらに含む、請求項１５に記載の方法。
【請求項２０】
前記ベースバンドユニットで、少なくとも前記複数の無線リソースのサブセットをパケット化するステップをさらに含む、請求項１５に記載の方法。